(57)【要約】【課題】全ての給紙トレイが自動給紙を禁止されている場合でも、画像を強制的に排出することで、印刷されない蓄積文書が画像処理装置内に滞留しないことを可能にする画像処理装置およびその給紙制御方法を提供する。【解決手段】画像処理装置１に画像が入力されると、画像処理部７は画像の処理を行い、処理された画像は主記憶装置３に蓄積され、画像を所定の給紙トレイの記録紙に印刷するか否か確認し、蓄積した画像を所定の給紙トレイの記録紙に印刷しない場合、自動給紙許可の給紙トレイが存在するか否か確認し、全ての給紙トレイが自動給紙禁止の場合、自動給紙を許可する給紙トレイを少なくとも１つ選択し、画像処理部７は選択した給紙トレイに収納された記録紙のサイズおよび方向に合わせて画像の拡大／縮小等の処理を行い、選択した給紙トレイに収納された記録紙に画像を印刷し、主記憶装置３に蓄積された画像を削除する。【選択図】　図１
2004086016.tif 000002
【特許請求の範囲】
【請求項１】
画像を記録紙に記録する記録手段と、画像が指定する記録紙サイズに適した記録紙を選択して該記録手段に給紙する選択給紙手段とを具備する画像処理装置において、
前記画像を入力する入力手段と、
前記選択手段による選択が実行可能な少なくとも１つの給紙トレイと、
前記給紙トレイに対して選択給紙手段による選択を実行許可若しくは実行禁止に設定する実行設定手段と、
前記入力手段で画像を入力した際に、複数の給紙トレイの全てに対して前記選択給紙手段による選択を実行禁止に設定している場合、少なくとも１つの給紙トレイを実行禁止から実行許可に設定することで、前記記録手段に該実行許可に設定された給紙トレイから記録紙を給紙し、前記記録手段は該給紙された記録紙に該画像を強制的に記録する給紙トレイ制御手段と
を具備することを特徴とする画像処理装置。
【請求項２】
前記給紙トレイ制御手段は、
前記入力手段で画像を入力した際に、複数の給紙トレイの全てに対して前記選択給紙手段による選択を実行禁止に設定している場合、全ての給紙トレイを実行禁止から実行許可に設定する
ことを特徴とする請求項１記載の画像処理装置。
【請求項３】
少なくとも１つの給紙トレイを補助給紙トレイに予め設定する補助給紙トレイ設定手段
を更に具備し、
前記入力手段で画像を入力した際に、複数の給紙トレイの全てに対して前記選択給紙手段による選択を実行禁止に設定している場合、前記補助給紙トレイ設定手段で補助給紙トレイに設定された給紙トレイを実行禁止から実行許可に設定する
ことを特徴とする請求項１記載の画像処理装置。
【請求項４】
前記補助給紙トレイ設定手段による補助給紙トレイの設定はユーザが行う
ことを特徴とする請求項３記載の画像処理装置。
【請求項５】
前記入力手段で入力した画像を蓄積する画像蓄積手段
を更に具備し、
前記記録手段による画像の記録が正常に完了した際に、前記画像蓄積手段から該画像を削除する
ことを特徴とする請求項１記載の画像処理装置。
【請求項６】
前記給紙トレイに収納された記録紙の紙質を記憶する紙質記憶手段
を更に具備し、
前記実行設定手段は、
前記紙質記憶手段に記憶した記録紙の紙質毎に前記選択給紙手段による選択を実行許可若しくは実行禁止に設定する
ことを特徴とする請求項１記載の画像処理装置。
【請求項７】
前記給紙トレイに収納された記録紙の紙質はユーザが設定する
ことを特徴とする請求項６記載の画像処理装置。
【請求項８】
前記給紙トレイに収納された記録紙の紙質を識別する紙質識別手段
を更に具備し、
前記紙質識別手段で識別した記録紙の紙質を前記紙質記憶手段に記憶する
ことを特徴とする請求項６記載の画像処理装置。
【請求項９】
前記紙質記憶手段に記憶した記録紙の紙質毎に前記選択給紙手段による選択を実行許可若しくは実行禁止にする設定はユーザが行う
ことを特徴とする請求項６記載の画像処理装置。
【請求項１０】
前記給紙トレイ制御手段で前記選択給紙手段による選択を実行禁止から実行許可に設定された給紙トレイに収納された記録紙を給紙する旨をユーザに通知する通知手段
を更に具備することを特徴とする請求項１記載の画像処理装置。
【請求項１１】
前記ユーザが前記給紙トレイ制御手段で実行許可に設定された給紙トレイに収納された記録紙を給紙することを許可するか否か決定する給紙許可手段
を更に具備することを特徴とする請求項１０記載の画像処理装置。
【請求項１２】
前記画像を前記記録紙に記録する際に、片面印刷を行うか若しくは両面印刷を行うかを設定する印刷設定手段
を更に具備し、
前記給紙トレイ制御手段で前記選択給紙手段による選択を実行禁止から実行許可に設定された給紙トレイに収納された記録紙を給紙して印刷する際には、前記印刷設定手段による設定に関わらず、片面印刷を行う
ことを特徴とする請求項１記載の画像処理装置。
【請求項１３】
入力した画像を記録紙に記録する際の画像処理装置の給紙制御方法において、
給紙トレイは画像が指定する記録紙サイズに適した記録紙を選択する選択給紙が実行可能で、
複数の給紙トレイの全てに対して前記選択給紙を実行禁止に設定している場合、少なくとも１つの給紙トレイを実行禁止から実行許可に設定することで、該実行許可に設定された給紙トレイから記録紙を給紙し、該給紙した記録紙に該画像を強制的に記録する
ことを特徴とする画像処理装置の給紙制御方法。
【請求項１４】
複数の給紙トレイの全てに対して前記選択給紙を実行禁止に設定している場合、全ての給紙トレイを実行禁止から実行許可に設定する
ことを特徴とする請求項１３記載の画像処理装置の給紙制御方法。
【請求項１５】
少なくとも１つの給紙トレイを補助給紙トレイに予め設定し、
複数の給紙トレイの全てに対して前記選択給紙を実行禁止に設定している場合、前記補助給紙トレイに設定された給紙トレイを実行禁止から実行許可に設定する
ことを特徴とする請求項１４記載の画像処理装置の給紙制御方法。
【請求項１６】
前記補助給紙トレイの設定はユーザが行う
ことを特徴とする請求項１５記載の画像処理装置の給紙制御方法。
【請求項１７】
前記画像の記録が正常に完了するまで、該画像を蓄積し、
前記画像の記録が正常に完了した際に、該画像を削除する
ことを特徴とする請求項１３記載の画像処理装置の給紙制御方法。
【請求項１８】
前記給紙トレイに収納された記録紙の紙質を記憶し、
該記憶した記録紙の紙質毎に前記選択給紙を実行許可若しくは実行禁止に設定する
ことを特徴とする請求項１３記載の画像処理装置の給紙制御方法。
【請求項１９】
前記給紙トレイに収納された記録紙の紙質はユーザが設定する
ことを特徴とする請求項１８記載の画像処理装置の給紙制御方法。
【請求項２０】
前記給紙トレイに収納された記録紙の紙質を識別し、
該識別した記録紙の紙質を記憶する
ことを特徴とする請求項１８記載の画像処理装置の給紙制御方法。
【請求項２１】
前記記録紙の紙質毎に前記選択給紙を実行許可若しくは実行禁止にする設定はユーザが行う
ことを特徴とする請求項１８記載の画像処理装置の給紙制御方法。
【請求項２２】
前記選択給紙を実行禁止から実行許可に設定された給紙トレイに収納された記録紙を給紙する旨をユーザに通知する
ことを特徴とする請求項１３記載の画像処理装置の給紙制御方法。
【請求項２３】
前記ユーザが前記選択給紙を実行禁止から実行許可に設定された給紙トレイに収納された記録紙を給紙することを許可するか否か決定する
ことを特徴とする請求項２２記載の画像処理装置の給紙制御方法。
【請求項２４】
前記選択給紙を実行禁止から実行許可に設定された給紙トレイに収納された記録紙を給紙して印刷する際には、片面印刷を行う
ことを特徴とする請求項１３記載の画像処理装置の給紙制御方法。
【発明の詳細な説明】
【０００１】
【発明の属する技術分野】
本発明は、画像処理装置およびその給紙制御方法に関し、特に、コピー機能およびプリンタ機能を有する画像処理装置およびその給紙制御方法に関する。
【０００２】
【従来の技術】
従来、複数の給紙トレイを有することで複数のサイズの記録紙を収納することが可能な画像処理装置は、ネットワーク等で接続されたＰＣ若しくはスキャナから受信した画像のサイズに基づき、画像のサイズに合う記録紙が収納された給紙トレイを自動的に選択し（以後、自動給紙と呼ぶ）、印刷している。
【０００３】
近年になって、ファクシミリ機能だけではなく、コピー機能やプリンタ機能を備えた複合機が開発され、給紙トレイに収納する紙質の種類（例えば、ＯＨＰ用のシートや厚紙等）が増えたため、ある特定の用途に使用したいという記録紙が給紙トレイにセットされている場合、その記録紙がセットされた給紙トレイを自動給紙の対象外としなければならない。
【０００４】
ここで、従来技術として機能や記録紙の紙質毎に印刷する給紙トレイを使い分けるという技術が提案され、例えば、特開平１１−３２１３９号では、複数の給紙トレイの内、特定の給紙トレイに対してプリンタ機能専用の給紙トレイを設定し、そのように設定された給紙トレイは他の機能による文書の印刷を行わないという技術が開示されている。
【０００５】
【発明が解決しようとする課題】
しかし、特開平１１−３２１３９号に開示されている技術では、全ての給紙トレイをある機能専用の給紙トレイに設定してしまった場合、自動給紙による印刷ができなくなってしまい、例えば、自動給紙による印刷ができない蓄積画像が滞留し、画像処理装置の画像保存領域を圧迫してしまうという問題が発生する。
【０００６】
そこで、本発明は、全ての給紙トレイが自動給紙を禁止されている場合でも、画像を強制的に排出することで、印刷されない蓄積文書が画像処理装置内に滞留しないことを可能にする画像処理装置およびその給紙制御方法を提供することを目的とする。
【０００７】
【課題を解決するための手段】
上記目的を達成するために、請求項１の発明は、画像を記録紙に記録する記録手段と、画像が指定する記録紙サイズに適した記録紙を選択して該記録手段に給紙する選択給紙手段とを具備する画像処理装置において、前記画像を入力する入力手段と、前記選択手段による選択が実行可能な少なくとも１つの給紙トレイと、前記給紙トレイに対して選択給紙手段による選択を実行許可若しくは実行禁止に設定する実行設定手段と、前記入力手段で画像を入力した際に、複数の給紙トレイの全てに対して前記選択給紙手段による選択を実行禁止に設定している場合、少なくとも１つの給紙トレイを実行禁止から実行許可に設定することで、前記記録手段に該実行許可に設定された給紙トレイから記録紙を給紙し、前記記録手段は該給紙された記録紙に該画像を強制的に記録する給紙トレイ制御手段とを具備することを特徴とする。
【０００８】
また、請求項２の発明は、請求項１の発明において、前記給紙トレイ制御手段は、前記入力手段で画像を入力した際に、複数の給紙トレイの全てに対して前記選択給紙手段による選択を実行禁止に設定している場合、全ての給紙トレイを実行禁止から実行許可に設定することを特徴とする。
【０００９】
また、請求項３の発明は、請求項１の発明において、少なくとも１つの給紙トレイを補助給紙トレイに予め設定する補助給紙トレイ設定手段を更に具備し、前記入力手段で画像を入力した際に、複数の給紙トレイの全てに対して前記選択給紙手段による選択を実行禁止に設定している場合、前記補助給紙トレイ設定手段で補助給紙トレイに設定された給紙トレイを実行禁止から実行許可に設定することを特徴とする。
【００１０】
また、請求項４の発明は、請求項３の発明において、前記補助給紙トレイ設定手段による補助給紙トレイの設定はユーザが行うことを特徴とする。
【００１１】
また、請求項５の発明は、請求項１の発明において、前記入力手段で入力した画像を蓄積する画像蓄積手段を更に具備し、前記記録手段による画像の記録が正常に完了した際に、前記画像蓄積手段から該画像を削除することを特徴とする。
【００１２】
また、請求項６の発明は、請求項１の発明において、前記給紙トレイに収納された記録紙の紙質を記憶する紙質記憶手段を更に具備し、前記実行設定手段は、前記紙質記憶手段に記憶した記録紙の紙質毎に前記選択給紙手段による選択を実行許可若しくは実行禁止に設定することを特徴とする。
【００１３】
また、請求項７の発明は、請求項６の発明において、前記給紙トレイに収納された記録紙の紙質はユーザが設定することを特徴とする。
【００１４】
また、請求項８の発明は、請求項６の発明において、前記給紙トレイに収納された記録紙の紙質を識別する紙質識別手段を更に具備し、前記紙質識別手段で識別した記録紙の紙質を前記紙質記憶手段に記憶することを特徴とする。
【００１５】
また、請求項９の発明は、請求項６の発明において、前記紙質記憶手段に記憶した記録紙の紙質毎に前記選択給紙手段による選択を実行許可若しくは実行禁止にする設定はユーザが行うことを特徴とする。
【００１６】
また、請求項１０の発明は、請求項１の発明において、前記給紙トレイ制御手段で前記選択給紙手段による選択を実行禁止から実行許可に設定された給紙トレイに収納された記録紙を給紙する旨をユーザに通知する通知手段を更に具備することを特徴とする。
【００１７】
また、請求項１１の発明は、請求項１０の発明において、前記ユーザが前記給紙トレイ制御手段で実行許可に設定された給紙トレイに収納された記録紙を給紙することを許可するか否か決定する給紙許可手段を更に具備することを特徴とする。
【００１８】
また、請求項１２の発明は、請求項１の発明において、前記画像を前記記録紙に記録する際に、片面印刷を行うか若しくは両面印刷を行うかを設定する印刷設定手段を更に具備し、前記給紙トレイ制御手段で前記選択給紙手段による選択を実行禁止から実行許可に設定された給紙トレイに収納された記録紙を給紙して印刷する際には、前記印刷設定手段による設定に関わらず、片面印刷を行うことを特徴とする。
【００１９】
また、請求項１３の発明は、入力した画像を記録紙に記録する際の画像処理装置の給紙制御方法において、給紙トレイは画像が指定する記録紙サイズに適した記録紙を選択する選択給紙が実行可能で、複数の給紙トレイの全てに対して前記選択給紙を実行禁止に設定している場合、少なくとも１つの給紙トレイを実行禁止から実行許可に設定することで、該実行許可に設定された給紙トレイから記録紙を給紙し、該給紙した記録紙に該画像を強制的に記録することを特徴とする。
【００２０】
また、請求項１４の発明は、請求項１３の発明において、複数の給紙トレイの全てに対して前記選択給紙を実行禁止に設定している場合、全ての給紙トレイを実行禁止から実行許可に設定することを特徴とする。
【００２１】
また、請求項１５の発明は、請求項１４の発明において、少なくとも１つの給紙トレイを補助給紙トレイに予め設定し、複数の給紙トレイの全てに対して前記選択給紙を実行禁止に設定している場合、前記補助給紙トレイに設定された給紙トレイを実行禁止から実行許可に設定することを特徴とする。
【００２２】
また、請求項１６の発明は、請求項１５の発明において、前記補助給紙トレイの設定はユーザが行うことを特徴とする。
【００２３】
また、請求項１７の発明は、請求項１３の発明において、前記画像の記録が正常に完了するまで、該画像を蓄積し、前記画像の記録が正常に完了した際に、該画像を削除することを特徴とする。
【００２４】
また、請求項１８の発明は、請求項１３の発明において、前記給紙トレイに収納された記録紙の紙質を記憶し、該記憶した記録紙の紙質毎に前記選択給紙を実行許可若しくは実行禁止に設定することを特徴とする。
【００２５】
また、請求項１９の発明は、請求項１８の発明において、前記給紙トレイに収納された記録紙の紙質はユーザが設定することを特徴とする。
【００２６】
また、請求項２０の発明は、請求項１８の発明において、前記給紙トレイに収納された記録紙の紙質を識別し、該識別した記録紙の紙質を記憶することを特徴とする。
【００２７】
また、請求項２１の発明は、請求項１８の発明において、前記記録紙の紙質毎に前記選択給紙を実行許可若しくは実行禁止にする設定はユーザが行うことを特徴とする。
【００２８】
また、請求項２２の発明は、請求項１３の発明において、前記選択給紙を実行禁止から実行許可に設定された給紙トレイに収納された記録紙を給紙する旨をユーザに通知することを特徴とする。
【００２９】
また、請求項２３の発明は、請求項２２の発明において、前記ユーザが前記選択給紙を実行禁止から実行許可に設定された給紙トレイに収納された記録紙を給紙することを許可するか否か決定することを特徴とする。
【００３０】
また、請求項２４の発明は、請求項１３の発明において、前記選択給紙を実行禁止から実行許可に設定された給紙トレイに収納された記録紙を給紙して印刷する際には、片面印刷を行うことを特徴とする。
【００３１】
【発明の実施の形態】
以下、本発明に係わる画像処理装置およびその給紙制御方法の実施の形態について添付図面を参照して詳細に説明する。
【００３２】
図１は、本発明に関わる画像処理装置１の概略構成の一例を示すブロック図である。
【００３３】
図１に示すように、画像処理装置１はＣＰＵ２、主記憶装置３、補助記憶装置４、表示装置５、操作パネル６、画像処理装置７、画像入力装置８、画像出力装置９、給紙装置１０、システムバス１１から構成されている。
【００３４】
ここで、ＣＰＵ（Ｃｅｎｔｒａｌ　Ｐｒｏｃｅｓｓｉｎｇ　Ｕｎｉｔ）２は、画像処理装置全体１の制御処理を行う。
【００３５】
また、主記憶装置３は、画像等を記憶するハードディスク等から構成される。
【００３６】
また、補助記憶装置４は、画像処理装置１のメインメモリとして利用されるＲＡＭ（Ｒａｎｄｏｍ　Ａｃｃｅｓｓ　Ｍｅｍｏｒｙ）等から構成される。
【００３７】
また、表示装置５は、画像処理装置１の状態、外部装置との通信の状態またはユーザに対するメッセージ等を表示する液晶表示装置等から構成される。
【００３８】
また、操作パネル６は、各装置への指示または自動給紙に関する設定の指示等を行うタッチパネル若しくはキーボード等から構成される。
【００３９】
また、画像処理部７は、画像の符号化／復号化／拡大／縮小等を行う。
【００４０】
また、画像入力装置８は、公衆回線若しくはＬＡＮ（Ｌｏｃａｌ　Ａｒｅａ　Ｎｅｔｗｏｒｋ）等のネットワークから送られてくる画像、またはローカルケーブル等で直接接続されたスキャナ等の画像読み取り装置から送られてくる画像を入力する。
【００４１】
また、画像出力装置９は、画像を記録紙に印刷して出力する。
【００４２】
また、給紙装置１０は、自動給紙を行うことが可能な複数の給紙トレイから構成される多段トレイである。なお、本実施例では多段トレイを一例にして説明するが、給紙装置１０は単段トレイでも良い。ここで、ユーザは給紙トレイ毎に自動給紙の許可／禁止を操作パネル６から設定することができる。
【００４３】
また、各装置は、システムバス１１を介して相互にデータのやり取りを行う。
【００４４】
次に、本発明に係わる画像処理装置１が行う給紙制御処理について、ユーザが給紙トレイに収納する記録紙の紙質に応じて自動給紙の許可／禁止を設定する構成を一例にして説明する。
【００４５】
図２は、給紙トレイに収納された記録紙の紙質、サイズ、有無および給紙状態等の状況を示す給紙トレイ情報１２の一例を示す図である。
【００４６】
図２に示すように、「給紙トレイ１」はＡ４サイズの上質紙を収納する給紙トレイであり、「給紙トレイ２」はＢ４サイズの厚紙を収納する給紙トレイであり、「給紙トレイ３」はＡ４サイズのＯＨＰ用の紙を収納する給紙トレイであり、「給紙トレイ４」はＡ４サイズの上質紙を収納する給紙トレイであり、「給紙トレイ１」、「給紙トレイ２」および「給紙トレイ３」には、記録紙が収納されていて、「Ｒｅａｄｙ」状態（つまり、給紙可能状態）になっていて、「給紙トレイ４」には、記録紙が収納されていないため、「Ｎｏｔ　Ｒｅａｄｙ」状態（つまり、給紙不可能状態）になっていることが、給紙トレイ情報１２として記憶されている。
【００４７】
なお、給紙トレイに記録紙が収納される度に、記録紙の記録紙サイズと紙質とを自動検知し、給紙トレイ情報は更新される。ただし、自動検知できない場合は、ユーザが記録紙を収納する度に、操作パネル６から記録紙の記録紙サイズと紙質とを設定しても良い。
【００４８】
そして、ユーザは操作パネル６から記録紙の紙質に応じて自動給紙の許可／禁止を設定する。
【００４９】
図３は、記録紙の紙質に応じた自動給紙の許可／禁止の設定状況を示す自動給紙設定情報１３の一例を示す図である。
【００５０】
図３に示すように、記録紙の紙質が「普通紙」の場合は自動給紙を許可し、「上質紙」の場合は自動給紙を禁止し、「厚紙」の場合は自動給紙を禁止し、「ＯＨＰ」の場合は自動給紙を禁止することが、自動給紙設定情報１３として記憶されている。
【００５１】
そして、ＣＰＵ２は、画像出力装置９で画像を記録紙に印刷して出力する際に、自動給紙設定情報１３の自動給紙の許可／禁止の設定状況に基づいて自動給紙する給紙トレイを決定する。例えば、図３で示す自動給紙設定情報１３では、「普通紙」のみ自動給紙を許可しているので、図２に示す給紙トレイ情報１２においては、全ての給紙トレイが自動給紙禁止になっている。
【００５２】
次に、画像処理装置１に画像が入力された際に、画像処理装置１が行う第１の給紙制御処理手順について図４のフローチャートを参照して説明する。
【００５３】
画像処理装置に画像入力部を介して画像が入力されると（ステップＳ４０１）、画像処理部は画像の符号化／復号化／拡大／縮小等の処理を行い、処理が行われた画像は主記憶装置に蓄積され（ステップＳ４０２）、蓄積した画像を所定の給紙トレイの記録紙に印刷するか否か確認する（ステップＳ４０３）。
【００５４】
そして、蓄積した画像を所定の給紙トレイの記録紙に印刷しない（つまり、画像が自動給紙の対象である）場合（ステップＳ４０３でＮＯ）、自動給紙許可の給紙トレイが存在するか否か確認する（ステップＳ４０４）。
【００５５】
そして、全ての給紙トレイが自動給紙禁止の場合（ステップＳ４０４でＮＯ）、自動給紙を許可する給紙トレイを少なくとも１つ選択し（ステップＳ４０５）、画像処理部は選択した給紙トレイに収納された記録紙のサイズおよび方向に合わせて画像の拡大／縮小等の処理を行い（ステップＳ４０６）、選択した給紙トレイに収納された記録紙に画像を印刷し（ステップＳ４０７）、正常に印刷が完了すると、主記憶装置に蓄積された画像を削除し（ステップＳ４０８）、処理手順を終了する。
【００５６】
なお、ステップＳ４０５において、自動給紙を許可された少なくとも１つの給紙トレイは、画像の印刷が正常に完了すると、自動給紙禁止の設定に戻る。
【００５７】
ここで、ステップＳ４０３において、蓄積した画像が所定の給紙トレイの記録紙に印刷する（つまり、画像が自動給紙の対象でない）場合（ステップＳ４０３でＹＥＳ）、所定の給紙トレイを選択し（ステップＳ４０９）、ステップＳ４０６に進み、ステップＳ４０６からは上述した処理手順と同様である。
【００５８】
ここで、ステップＳ４０４において、自動給紙許可の給紙トレイが存在する場合（ステップＳ４０４でＹＥＳ）、自動給紙により給紙トレイを選択し（ステップＳ４１０）、ステップＳ４０６に進み、ステップＳ４０６からは上述した処理手順と同様である。
【００５９】
例えば、図２に示す給紙トレイ情報１２と図３に示す自動給紙設定情報１３とが設定された画像処理装置１である場合、自動給紙許可の紙質である普通紙が「給紙トレイ１〜４」に収納されていないため、全ての給紙トレイが自動給紙禁止と判定され、自動給紙対象である画像を入力した際に、「給紙トレイ１〜４」から自動給紙を許可する給紙トレイを少なくとも１つ選択し、選択した給紙トレイに収納された記録紙に合わせて画像を処理し、処理した画像を記録紙に印刷する。
【００６０】
従って、全ての給紙トレイが自動給紙禁止である場合でも、自動給紙を許可する給紙トレイを少なくとも１つ選択することで、印刷されない蓄積文書が主記憶装置３に滞留することを回避することができる。
【００６１】
ここで、図４のフローチャートのステップＳ４０４における、自動給紙許可の給紙トレイが存在するか否か確認する処理手順について図５のフローチャートを参照して説明する。
【００６２】
「Ｎ（給紙トレイの番号）＝１」と設定し（ステップＳ５０１）、「給紙トレイ１」から順に自動給紙が許可されているか否かの確認を開始する。
【００６３】
まず、「給紙トレイＮ」が給紙可能な状態の場合（ステップＳ５０２でＹＥＳ）、「給紙トレイＮ」に収納された記録紙の紙質を確認し（ステップＳ５０３）、確認した紙質が自動給紙禁止の場合（ステップＳ５０４でＮＯ）、「Ｎ＝Ｎ＋１」と設定し（ステップＳ５０５）、「給紙トレイＮ」が存在する場合（ステップＳ５０６でＹＥＳ）、ステップＳ５０２に戻る。
【００６４】
ここで、ステップＳ５０６において、「給紙トレイＮ」が存在しない場合（ステップＳ５０６でＮＯ）、全ての給紙トレイは自動給紙禁止と判定し（ステップＳ５０７）、処理手順を終了する。
【００６５】
ここで、ステップＳ５０４において、確認した紙質が自動給紙許可の場合（ステップＳ５０４でＹＥＳ）、自動給紙許可の給紙トレイが存在すると判定し（ステップＳ５０８）、処理手順を終了する。
【００６６】
例えば、図２に示す給紙トレイ情報１２と図３に示す自動給紙設定情報１３とが設定された画像処理装置１である場合、自動給紙許可の紙質である普通紙が「給紙トレイ１〜４」に収納されていないため、全ての給紙トレイが自動給紙禁止と判定される。
【００６７】
次に、画像処理装置１に画像が入力された際に、画像処理装置１が行う第２の給紙制御処理手順について図６のフローチャートを参照して説明する。
【００６８】
画像処理装置に画像入力部を介して画像が入力されると（ステップＳ６０１）、画像処理部は画像の符号化／復号化／拡大／縮小等の処理を行い、処理が行われた画像は主記憶装置に蓄積され（ステップＳ６０２）、蓄積した画像を所定の給紙トレイの記録紙に印刷するか否か確認する（ステップＳ６０３）。
【００６９】
そして、蓄積した画像を所定の給紙トレイの記録紙に印刷しない（つまり、画像が自動給紙の対象である）場合（ステップＳ６０３でＮＯ）、自動給紙許可の給紙トレイが存在するか否か確認する（ステップＳ６０４）。
【００７０】
そして、全ての給紙トレイが自動給紙禁止の場合（ステップＳ６０４でＮＯ）、全ての給紙トレイを自動給紙許可にし（ステップＳ６０５）、自動給紙により給紙トレイを選択し（ステップＳ６０６）、画像処理部は選択した給紙トレイに収納された記録紙のサイズおよび方向に合わせて画像の拡大／縮小等の処理を行い（ステップＳ６０７）、選択した給紙トレイに収納された記録紙に画像を印刷し（ステップＳ６０８）、正常に印刷が完了すると、主記憶装置に蓄積された画像を削除し（ステップＳ６０９）、処理手順を終了する。
【００７１】
なお、ステップＳ６０５において、自動給紙を許可された全ての給紙トレイは、画像の印刷が正常に完了すると、自動給紙禁止の設定に戻る。
【００７２】
ここで、ステップＳ６０４において、自動給紙許可の給紙トレイが存在する場合（ステップＳ６０４でＹＥＳ）、ステップＳ６０６に進み、ステップＳ６０６からは上述した処理手順と同様である。
【００７３】
ここで、ステップＳ６０３において、蓄積した画像が所定の給紙トレイの記録紙に印刷する（つまり、画像が自動給紙の対象でない）場合（ステップＳ６０３でＹＥＳ）、所定の給紙トレイを選択し（ステップＳ６１０）、ステップＳ６０７に進み、ステップＳ６０７からは上述した処理手順と同様である。
【００７４】
例えば、図２に示す給紙トレイ情報１２と図３に示す自動給紙設定情報１３とが設定された画像処理装置１である場合、自動給紙許可の紙質である普通紙が「給紙トレイ１〜４」に収納されていないため、全ての給紙トレイが自動給紙禁止と判定され、全ての給紙トレイが自動給紙許可になるため、「給紙トレイ１〜４」は自動給紙許可になり、自動給紙により「給紙トレイ１〜４」から記録紙を給紙する給紙トレイを選択し、選択した給紙トレイに収納された記録紙に合わせて画像を処理し、処理した画像を記録紙に印刷する。
【００７５】
従って、全ての給紙トレイが自動給紙禁止である場合でも、全ての給紙トレイを自動給紙許可にすることで、印刷されない蓄積文書が主記憶装置３に滞留することを回避することができる。
【００７６】
図７は、全ての給紙トレイが自動給紙禁止の際に自動給紙許可になる補助給紙トレイの設定状況を示す補助給紙トレイ情報１４の一例を示す図である。
【００７７】
図７に示すように、補助給紙トレイとして「給紙トレイ１」が設定されていることが、補助給紙トレイ情報１４として記憶されている。例えば、図２に示すトレイ情報１２では、「給紙トレイ１〜４」が自動給紙禁止の場合、「給紙トレイ１」が自動給紙許可になる。なお、補助給紙トレイとして複数の給紙トレイを設定しても良い。
【００７８】
次に、画像処理装置１に画像が入力された際に、画像処理装置１が行う第３の給紙制御処理手順について図８のフローチャートを参照して説明する。
【００７９】
画像処理装置に画像入力部を介して画像が入力されると（ステップＳ８０１）、画像処理部は画像の符号化／復号化／拡大／縮小等の処理を行い、処理が行われた画像は主記憶装置に蓄積され（ステップＳ８０２）、蓄積した画像を所定の給紙トレイの記録紙に印刷するか否か確認する（ステップＳ８０３）。
【００８０】
そして、蓄積した画像を所定の給紙トレイの記録紙に印刷しない（つまり、画像が自動給紙の対象である）場合（ステップＳ８０３でＮＯ）、自動給紙許可の給紙トレイが存在するか否か確認する（ステップＳ８０４）。
【００８１】
そして、全ての給紙トレイが自動給紙禁止の場合（ステップＳ８０４でＮＯ）、補助給紙トレイが存在するか否か確認する（ステップＳ８０５）。
【００８２】
そして、補助給紙トレイが存在する場合（ステップＳ８０５でＹＥＳ）、画像処理部は補助給紙トレイに収納された記録紙のサイズおよび方向に合わせて画像の拡大／縮小等の処理を行い（ステップＳ８０６）、補助給紙トレイに収納された記録紙に画像を印刷し（ステップＳ８０７）、正常に印刷が完了すると、主記憶装置に蓄積された画像を削除し（ステップＳ８０８）、処理手順を終了する。
【００８３】
ここで、ステップＳ８０３において、蓄積した画像を所定の給紙トレイの記録紙に印刷する（つまり、画像が自動給紙の対象でない）場合（ステップＳ８０３でＹＥＳ）、所定の給紙トレイを選択し（ステップＳ８０９）、画像処理部は選択した給紙トレイに収納された記録紙のサイズおよび方向に合わせて画像の拡大／縮小等の処理を行い（ステップＳ８１０）、選択した給紙トレイに収納された記録紙に画像を印刷し（ステップＳ８１１）、正常に印刷が完了すると、主記憶装置に蓄積された画像を削除し（ステップＳ８０８）、処理手順を終了する。
【００８４】
ここで、ステップＳ８０４において、自動給紙許可の給紙トレイが存在する場合（ステップＳ８０４でＹＥＳ）、自動給紙により給紙トレイを選択し（ステップＳ８１２）、画像処理部は選択した給紙トレイに収納された記録紙のサイズおよび方向に合わせて画像の拡大／縮小等の処理を行い（ステップＳ８１０）、選択した給紙トレイに収納された記録紙に画像を印刷し（ステップＳ８１１）、正常に印刷が完了すると、主記憶装置に蓄積された画像を削除し（ステップＳ８０８）、処理手順を終了する。
【００８５】
ここで、ステップＳ８０５において、補助給紙トレイが存在しない場合（ステップＳ８０５でＮＯ）、自動給紙を許可する給紙トレイを少なくとも１つ選択し（ステップＳ８１３）画像処理部は選択した給紙トレイに収納された記録紙のサイズおよび方向に合わせて画像の拡大／縮小等の処理を行い（ステップＳ８１０）、選択した給紙トレイに収納された記録紙に画像を印刷し（ステップＳ８１１）、正常に印刷が完了すると、主記憶装置に蓄積された画像を削除し（ステップＳ８０８）、処理手順を終了する。
【００８６】
なお、ステップＳ８１３において、自動給紙を許可された少なくとも１つの給紙トレイは、画像の印刷が正常に完了すると、自動給紙禁止の設定に戻る。
【００８７】
例えば、図２に示す給紙トレイ情報１２と図３に示す自動給紙設定情報１３と図７に示す補助給紙トレイ情報１４とが設定された画像処理装置１である場合、自動給紙許可の紙質である普通紙が「給紙トレイ１〜４」に収納されていないため、全ての給紙トレイが自動給紙禁止と判定され、補助給紙トレイに設定された「給紙トレイ１」に収納された記録紙に合わせて画像を処理し、処理した画像を記録紙に印刷する。
【００８８】
従って、全ての給紙トレイが自動給紙禁止である場合でも、全ての給紙トレイが自動給紙禁止の際に自動給紙許可になる補助給紙トレイを予め設定し、補助給紙トレイに収納している記録紙に印刷することで、印刷されない蓄積文書が主記憶装置３に滞留することを回避することができる。
【００８９】
図９は、画像処理装置１の表示装置４に表示される自動給紙禁止の給紙トレイから給紙して印刷する旨をユーザに伝える画面の表示例を示す図である。
【００９０】
図９に示すように、表示装置４には自動給紙禁止の給紙トレイから給紙して印刷する旨を伝えるメッセージ「自動給紙禁止の給紙トレイにセットされた記録紙に印刷します。」が表示されるとともに、ユーザに自動給紙禁止の給紙トレイから給紙して印刷しても良いか確認を取っている。
【００９１】
図９に示す画面を確認したユーザは、自動給紙禁止の給紙トレイからの給紙を許可する場合は「はい（Ｙ）」のボタンを操作し、ＣＰＵ１は自動給紙禁止の給紙トレイからの給紙の許可を確認すると、自動給紙を許可する給紙トレイを少なくとも１つ選択し、選択した給紙トレイにセットされた記録紙を給紙して印刷を開始する。また、自動給紙禁止の給紙トレイからの給紙を許可しない場合は「いいえ（Ｎ）」のボタンを操作し、ＣＰＵ２は自動給紙禁止の給紙トレイからの給紙の許可が得られなかったことを確認すると、給紙トレイの記録紙が入れ替わるか、または自動給紙禁止の設定が変更され、給紙トレイからの自動給紙ができるまで、画像を主記憶装置３に蓄積し続けて印刷開始を待つ。
【００９２】
図１０は、機能毎に片面印刷するのか若しくは両面印刷するのかの設定状況を示す片面／両面印刷情報１５の一例を示す図である。
【００９３】
図１０に示すように、「電子メール」の機能においては両面印刷を行い、「レポート」機能においては片面印刷を行うことが、片面／両面印刷情報１５として記憶されている。
【００９４】
例えば、図２に示す給紙トレイ情報１２と図３に示す自動給紙設定情報１３と図１０に示す片面／両面印刷情報１５とが設定された画像処理装置１が電子メールを受信した際に、「給紙トレイ１〜４」から自動給紙を許可する給紙トレイを少なくとも１つ選択し、図１０に示す片面／両面印刷情報に基づき、選択した給紙トレイに収納された記録紙に受信した電子メールを両面印刷するのだが、その電子メールを両面印刷に不都合な紙質（例えば、ＯＨＰ等）に印刷してしまう不都合がある。そこで、自動給紙禁止の給紙トレイから記録紙を給紙する場合は、常に片面印刷を行うことで、上述した不都合を回避することができる。
【００９５】
【発明の効果】
以上説明したように本発明によれば、全ての給紙トレイが自動給紙を禁止されている場合でも、画像を強制的に排出することで、印刷されない蓄積文書が画像処理装置内に滞留しないことを可能にするという効果を奏する。
【図面の簡単な説明】
【図１】本発明に関わる画像処理装置１の概略構成の一例を示すブロック図である。
【図２】給紙トレイに収納された記録紙の紙質、サイズ、有無および給紙状態等の状況を示す給紙トレイ情報１２の一例を示す図である。
【図３】記録紙の紙質に応じた自動給紙の許可／禁止の設定状況を示す自動給紙設定情報１３の一例を示す図である。
【図４】画像処理装置１に画像が入力された際に、画像処理装置１が行う第１の給紙制御処理手順を示すフローチャートである。
【図５】図４のフローチャートのステップＳ４０４における、自動給紙許可の給紙トレイが存在するか否か確認する処理手順を示すフローチャートである。
【図６】画像処理装置１に画像が入力された際に、画像処理装置１が行う第２の給紙制御処理手順を示すフローチャートである。
【図７】全ての給紙トレイが自動給紙禁止の際に自動給紙許可になる補助給紙トレイの設定状況を示す補助給紙トレイ情報１４の一例を示す図である。
【図８】画像処理装置１に画像が入力された際に、画像処理装置１が行う第３の給紙制御処理手順を示すフローチャートである。
【図９】画像処理装置１の表示装置４に表示される自動給紙禁止の給紙トレイから給紙して印刷する旨をユーザに伝える画面の表示例を示す図である。
【図１０】機能毎に片面印刷するのか若しくは両面印刷するのかの設定状況を示す片面／両面印刷情報１５の一例を示す図である。
【符号の説明】
１　　画像処理装置
２　　ＣＰＵ
３　　主記憶装置
４　　補助記憶装置
５　　表示装置
６　　操作パネル
７　　画像処理部
８　　画像入力装置
９　　画像出力装置
１０　　給紙装置
１１　　システムバス
１２　　給紙トレイ情報
１３　　自動給紙設定情報
１４　　補助給紙トレイ情報
１５　　片面／両面印刷情報
【図１】
2004086016.tif 000003
【図２】
2004086016.tif 000004
【図３】
2004086016.tif 000005
【図４】
2004086016.tif 000006
【図５】
2004086016.tif 000007
【図６】
2004086016.tif 000008
【図７】
2004086016.tif 000009
【図８】
2004086016.tif 000010
【図９】
2004086016.tif 000011
【図１０】
2004086016.tif 000012